(57)【要約】【課題】  装置構成を複雑高価とすることなく洗浄時間の短縮を可能にした印刷機を提供する。【解決手段】  インキ練り３５ａに間欠的に供給された洗浄液が各インキローラの周面を順次伝達され、インキ往復ローラ３３ａでかき取られることで各インキローラを洗浄するインキ洗浄装置４７と、ゴム胴１９に取り付けられたブランケットの表面を拭き取り洗浄するブランケット洗浄装置５９と、圧胴２１の表面を拭き取り洗浄する圧胴洗浄装置７１と、各洗浄装置の運転を制御する洗浄制御部９３と、を備えている枚葉印刷機１であって、洗浄制御部９３には、インキ洗浄装置４７における最後の洗浄液供給からかき取り終了までの時間を通常よりも長くする低速インキ洗浄運転モードＴと、低速インキ洗浄運転モードＴで運転されるインキ洗浄装置４７とブランケット洗浄装置５９とを並列運転する短縮運転モードＴＮと、が備えられている。【選択図】      図１
2007290186.tif 000002
【特許請求の範囲】
【請求項１】
上流側のインキローラに間欠的に供給された洗浄液が各インキローラの周面を順次伝達され、下流側のインキローラでかき取られることで回転する各インキローラを洗浄するインキ洗浄装置と、
回転するブランケット胴に取り付けられたブランケットの表面を拭き取り洗浄するブランケット洗浄装置と、
回転する圧胴の表面を拭き取り洗浄する圧胴洗浄装置と、
前記インキ洗浄装置、前記ブランケット洗浄装置および前記圧胴洗浄装置の運転を制御する洗浄制御部と、を備えている印刷機であって、
前記洗浄制御部には、前記インキ洗浄装置における最後の洗浄液供給からかき取り終了までの時間を通常よりも長くする低速インキ洗浄運転モードと、
該低速インキ洗浄運転モードで運転される前記インキ洗浄装置と前記ブランケット洗浄装置とを並列運転する短縮運転モードと、が備えられていることを特徴とする印刷機。
【請求項２】
前記短縮運転モードは、前記インキ洗浄装置と前記ブランケット洗浄装置との並列運転の前あるいは後に圧胴洗浄装置を運転させることを特徴とする請求項１に記載の印刷機。
【請求項３】
前記短縮運転モードは、前記圧胴洗浄装置の運転を前記インキ洗浄装置および前記ブランケット洗浄装置の並列運転と連続的に行うことを特徴とする請求項２に記載の印刷機。
【発明の詳細な説明】
【技術分野】
【０００１】
本発明は、印刷機に関するものである。
【背景技術】
【０００２】
印刷機の印刷ユニットは、印刷作業中に圧胴、ゴム胴（ブランケット胴）、版胴、インキ供給装置および湿し装置は一定の関連した速度で運転される必要があるので、通常一つの駆動源によって駆動されている。
オーダチェンジ時、始業時、終業時等に、圧胴、ゴム胴に取り付けられたブランケットおよびインキ供給装置を構成するインキローラ等は圧胴洗浄装置、ブランケット洗浄装置およびインキ洗浄装置によって洗浄されるが、これらを洗浄する際に必要とされる回転速度が異なるため、同時に洗浄作業を行うことができない。
このため、圧胴洗浄装置、ブランケット洗浄装置およびインキ洗浄装置は個別に運転され、かつ、各洗浄作業の間では、運転を一度停止しているのが実情であり、洗浄作業に時間を要していた。
【０００３】
これを解消するものとして、例えば、特許文献１に示されるようにインキ洗浄を他の洗浄と並列に実施できるようにしたものが提案されている。
これは、インキ供給装置を本機の駆動源に対し選択的に断接可能とし、切断時には専用の駆動源によって駆動されるようにし、インキ供給装置と圧胴およびゴム胴との駆動速度を別個に調節可能としたものである。
【０００４】
【特許文献１】特開昭６３−３１５２４４号公報
【発明の開示】
【発明が解決しようとする課題】
【０００５】
しかしながら、特許文献１に示されるものは、インキ供給装置を本機の駆動源に対し選択的に断接可能とするために駆動機構が複雑となるという問題があった。
また、通常の印刷作業では使用しないインキ供給装置のみを駆動する駆動源を備えるので、印刷機がその分高価となるという問題があった。
【０００６】
本発明は、上記問題点に鑑み、装置構成を複雑高価とすることなく洗浄時間の短縮を可能にした印刷機を提供することを目的とする。
【課題を解決するための手段】
【０００７】
上記課題を解決するために、本発明は以下の手段を採用する。
すなわち、本発明にかかる印刷機は、上流側のインキローラに間欠的に供給された洗浄液が各インキローラの周面を順次伝達され、下流側のインキローラでかき取られることで回転する各インキローラを洗浄するインキ洗浄装置と、回転するブランケット胴に取り付けられたブランケットの表面を拭き取り洗浄するブランケット洗浄装置と、回転する圧胴の表面を拭き取り洗浄する圧胴洗浄装置と、前記インキ洗浄装置、前記ブランケット洗浄装置および前記圧胴洗浄装置の運転を制御する洗浄制御部と、を備えている印刷機であって、前記洗浄制御部には、前記インキ洗浄装置における最後の洗浄液供給からかき取り終了までの時間を通常よりも長くする低速インキ洗浄運転モードと、該低速インキ洗浄運転モードで運転される前記インキ洗浄装置と前記ブランケット洗浄装置とを並列運転する短縮運転モードと、が備えられていることを特徴とする。
【０００８】
本発明によれば、インキ洗浄装置を低速インキ洗浄運転モードで運転すると、最後の洗浄液供給からかき取り終了までの時間を通常よりも長くしているので、この間に先に供給された洗浄液を含め全ての洗浄液が確実に下流側のインキローラまで送られ、そこでかき取られることになる。
そのため、インキを含んだ洗浄液が残留することがないので、たとえインキローラの回転速度を遅くしたとしても、洗浄能力を維持することができる。
言い換えると、低速インキ洗浄運転モードで洗浄すると、インキローラの回転速度は、ブランケットを取付けるためのギャップがあるため最高速度が制限されるブランケット洗浄時におけるゴム胴の回転速度と同等とすることができる。
このように、例えば、インキ供給装置を別駆動源で運転するようにしなくても、インキ洗浄装置およびブランケット洗浄装置を同時に並列して運転することができるので、装置構成が複雑となること、それにより高価となることを阻止することができる。
なお、最後の洗浄液供給からかき取り終了までの時間は運転速度にもよるが、通常洗浄速度時の少なくとも５倍以上あるいは全洗浄時間の四分の一以上が好適である。
【０００９】
そして、短縮運転モードで運転すると、インキ洗浄装置とブランケット洗浄装置とが並列して運転されるので、インキ洗浄装置およびブランケット洗浄装置を個別に運転するものに比べて洗浄時間を短縮することができる。
また、個別に洗浄する場合に比べて、洗浄作業を切り替えるための停止期間を必要としないので、その分洗浄時間を短縮することができる。
この場合、インキ洗浄装置の低速インキ洗浄運転モードにおける最後の洗浄液供給からかき取り終了までの時間は、洗浄能力と洗浄時間増との関係から短縮効果がでるように選択されるのが好適である。
なお、ここで「インキローラ」とは、インキ供給装置を構成する洗浄されるローラを総称している。
【００１０】
また、本発明にかかる印刷機では、前記短縮運転モードは、前記インキ洗浄装置と前記ブランケット洗浄装置との並列運転の前あるいは後に圧胴洗浄装置を運転させることを特徴とする。
【００１１】
インキローラ洗浄、ブランケット洗浄および圧胴洗浄を行う場合、インキ洗浄装置およびブランケット洗浄装置を並列運転し、その前あるいは後に圧胴洗浄装置を運転させるので、全体の洗浄時間を短縮することができる。
【００１２】
上記発明では、前記短縮運転モードは、前記圧胴洗浄装置の運転を前記インキ洗浄装置および前記ブランケット洗浄装置の並列運転と連続的に行うことが好適である。
このようにすると、インキ洗浄装置およびブランケット洗浄装置と圧胴洗浄装置とで洗浄作業を切り替えるための停止期間を必要としないので、その分洗浄時間を一層短縮することができる。
【発明の効果】
【００１３】
本発明によれば、洗浄制御部に、インキ洗浄装置における最後の洗浄液供給からかき取り終了までの時間を通常よりも長くする低速インキ洗浄運転モードと、この低速インキ洗浄運転モードで運転されるインキ洗浄装置とブランケット洗浄装置とを並列運転する短縮運転モードと、が備えられているので、インキ洗浄装置およびブランケット洗浄装置を個別に運転するものに比べて洗浄時間を短縮することができる。
また、個別に洗浄する場合に比べて、洗浄作業を切り替えるための停止期間を必要としないので、その分洗浄時間を短縮することができる。
また、例えば、インキ供給装置を別駆動源で運転するようにしなくても、インキ洗浄装置およびブランケット洗浄装置を同時に並列して運転することができるので、装置構成が複雑となること、それにより高価となることを阻止することができる。
【発明を実施するための最良の形態】
【００１４】
以下に、本発明の一実施形態にかかる枚葉印刷機（印刷機）１について、図１〜図７を用いて説明する。
図１は、枚葉印刷機１の全体概略構成を示す模式図である。
枚葉印刷機１は、被印刷物である枚葉紙が供給される上流側から下流側に向けて、給紙装置３と、複数の印刷ユニット５と、排紙装置７とが備えられている。
給紙装置３は、図示しない既知の給紙機構によって給紙台１１の上に積層された枚葉紙９を上から順に一枚ずつ取上げて供給するものである。
給紙台１１は、給紙機構が枚葉紙９と略一定の位置関係を保つように枚葉紙９の供給に対応して上動するように構成されている。
【００１５】
印刷ユニット５は、印刷する色ごとに複数設けられている。本実施形態では、Ｃ（シアン），Ｍ（マゼンダ），Ｙ（イエロー）及びＢＬ（ブラック）からなる４色の色によって印刷する４色機が示されており、４つの印刷ユニット５が設けられている。
【００１６】
各印刷ユニット５には、インキを供給するインキ装置１３と、湿し水を供給する湿し装置１５と、これらインキ装置１３と湿し装置１５に対向配置された版胴１７と、この版胴１７に対向配置されたゴム胴（ブランケット胴）１９と、このゴム胴１９に対向配置された圧胴２１と、各印刷ユニット５の圧胴２１間に配置される中間胴２３とが備えられている。
【００１７】
図２は、インキ装置１３を拡大して示す模式図である。
インキ装置１３には、インキ元ローラ２５と、インキキー２７と、受渡しローラ２９と、インキ着けローラ３１と、インキ練りローラ群とが備えられている。
インキ練りローラ群は、複数のインキ往復ローラ３３と複数のインキ練りローラ３５とが交互に配置されて構成されている。
【００１８】
インキ往復ローラ３３は、樹脂製で、フレームに対して回転自在および軸線方向に摺動可能に支持されている。インキ往復ローラ３３は、図示しない駆動源によって版胴１７の周面と略同一周速で回転されるとともに軸線方向へ往復動されるように構成されている。
インキ練りローラ３５は、表面がゴム製で、回転自在に取り付けられている。インキ練りローラ３５は、インキ往復ローラ３３に押付けられることによって、これらのローラに連れ回りさせられるように構成されている。
【００１９】
インキ着けローラ３１は、表面がゴム製で、フレームに回動自在に支持されている。インキ着けローラ３１は、インキ往復ローラ３３と版胴１７とに押付けられることによって、連れ回りされるように構成されている。
インキキー２７は、インキ元ローラ２５とでインキを保持するインキ溜め３７を形成している。
【００２０】
インキは、インキ元ローラ２５の回転に伴いインキキー２７との間の隙間からインキ元ローラ２５の周面によって運ばれ、受渡しローラ２９へ供給される。
受渡しローラ２９へ受け渡されたインキは、多数のインキ往復ローラ３３およびインキ練りローラ３５を順次移転する間に薄膜化されインキ着けローラ３１へ供給される。
インキ着けローラ３１へ供給された薄膜化されたインキは、版胴１７の周面に取り付けられた刷版の画線部へ供給される。
【００２１】
湿し装置１５には、湿し水を貯留する水舟３９と、水舟３９の湿し水を汲み上げる水元ローラ４１と、湿し水の量を調整するクロムローラ４３と、刷版の非画線部へ湿し水を供給する水着けローラ４５とが備えられている。
インキ装置１３および湿し装置１５は、印刷を行わない非印刷時等には、インキ着けローラ３１および水着けローラ４５が版胴１７から離間させられることができるように構成されている。
【００２２】
インキ装置１３には、インキ装置１３を構成するローラ（インキローラ）を洗浄するインキローラ洗浄装置４７が備えられている。
インキローラ洗浄装置４７には、インキ移転経路の上流側のインキ練りローラ３５ａに対向して配置された洗浄液吐出ノズル４９と、図示しない洗浄液供給ユニットから供給される溶剤（洗浄液）を洗浄液吐出ノズル４９へ搬送する洗浄液配管５１と、電磁弁５３と、インキ供給経路の下流側の例えばインキ往復ローラ３３ａに近接して配置された廃液パン５５と、が備えられている。
廃液パン５５のインキ往復ローラ３３ａ側上部には、ゴム製のブレード５７が取り付けられている。ブレード５７は、廃液パン５５の揺動操作によってインキ往復ローラ３３ａに選択的に接触し、インキ往復ローラ３３ａの周面から溶剤を掻き取り、廃液パン５５に回収するものである。
【００２３】
版胴１７は、印刷用画像が形成された刷版が外周に巻回された円筒状とされている。刷版は、印刷すべき画像毎に作成され、交換される。版胴１７は、図示していないが、外周の一部の角度範囲が軸線方向に切り欠かれた状態となっており、この位置に、刷版の上流端である版頭および刷版の下流端である版尻を掴んで固定する版締め装置が設けられている。
【００２４】
ゴム胴１９は、版胴１７の刷版上のインキを受け取り、圧胴２１や中間胴２３により搬送される枚葉紙に対してインキを転写する（オフセット印刷）。ゴム胴１９の外周には、弾性材料、例えばゴムで形成されたブランケットが巻回されている。ゴム胴１９は、図示していないが、外周の一部の角度範囲が軸線方向に切り欠かれた状態となっており、この位置に、ブランケットの上流端および下流端を掴んで固定するゴム締め装置が設けられている。
ゴム胴１９は、印刷を行わない非印刷時等には、版胴１７から離間させることができるように構成されている。
【００２５】
ゴム胴１９の給紙装置３側には、印刷作業の終了時あるいはインキを交換する時に、ゴム胴１９の周面に装着されたブランケットの表面を洗浄するブランケット洗浄装置５９が備えられている。
ブランケット洗浄装置５９には、一対の移動フレーム６１と、支持梁６３と、案内部材６５と、洗浄布６９を操作する操作部材６７と、が備えられている。
一対の移動フレーム６１は、それぞれ操作側および駆動側のフレームにゴム胴１９に対して進退するように取り付けられている。一対の移動フレーム６１は図示しない、例えば、エアシリンダ等の駆動手段によってゴム胴１９に対して進退させられるように構成されている。
【００２６】
支持梁６３は、ゴム胴１９の軸線方向に沿って延在するように配置された柱状体であり、両端が一対の移動フレーム６１に取り付けられている。支持梁６３は、断面が略Ｌ字形をし、その一面がゴム胴１９に対向するように配置されている。
支持梁６３のゴム胴１９に対向する面の上下部には、それぞれ洗浄布６９を案内するとともに案内部材６５を取付ける突起部６４，６４が形成されている。
案内部材６５は、断面が略Ｃ字形をし、支持梁６３と略同等の長さを有する柱状体である。案内部材６５は、凸部がゴム胴１９に向くように配置されている。案内部材６５の上下部は突起部６４，６４に係合し、内側から締付ボルト６６で外側に押付けられることによって支持梁６３に固定して取り付けられている。
【００２７】
一対の操作部材６７は、両端部が一対の移動フレーム６１に回転可能に支持されたドラムである。
洗浄布６９は、ゴム胴１９の幅と同等の幅を備えている。洗浄布６９の一端は一方の操作部材６７に固定して取りつけられ、他端は支持梁６３および案内部材６５の外側を通って他方の操作部材６７に取り付けられている。
一対の操作部材６７は、図示しない駆動源によって関連して回動されるように構成されている。一対の操作部材６７の回動によって洗浄布６９は一方から他方に向けて移動し、途中で洗浄液を含侵させられるように構成されている。
【００２８】
ブランケット洗浄装置５９は、一対の移動フレーム６１がゴム胴１９側に移動し、案内部材６５が洗浄液を含侵した洗浄布６９をゴム胴１９の表面に取り付けられたブランケットに押付けることによってブランケット上のインキ等をふき取るものである。
【００２９】
圧胴２１は、ゴム胴１９に対向配置され、円筒状とされている。圧胴２１は、版胴１７およびゴム胴１９の直径の２倍の直径を有する、いわゆる倍胴仕立てとされている。
圧胴２１の周面には、枚葉紙９の先端を保持する爪装置（図示省略）が軸線中心を挟んで２ヶ所に備えられている。圧胴２１は、印刷時に枚葉紙を介してゴム胴１９に接触し、ゴム胴１９との間に供給される枚葉紙９に対して所望の圧力を与える。これにより、ゴム胴１９上のインキを枚葉紙上に転移させる。
【００３０】
圧胴２１の排紙装置７側には、印刷作業の終了時等に、圧胴２１の表面を洗浄する圧胴洗浄装置７１が備えられている。
圧胴洗浄装置７１には、ノズル７３と、一対の支持フレーム７５と、洗浄布装置７７と、が備えられている。
ノズル７３は、圧胴２１の軸線方向に沿って延在するようにその全幅にわたり配置され、圧胴２１の表面に水あるいは洗浄液を噴霧するものである。洗浄液としては、例えば第３種有機溶剤を水に混合させたものが用いられる。
一対の支持フレーム７５は、ノズル７３に対して圧胴２１の回転方向下流側の位置で、それぞれ操作側および駆動側のフレームに固定して取り付けられている。
【００３１】
洗浄布装置７７には、圧胴２１の幅と同等の幅を備えている洗浄布７９を上流側から下流側に移動させる繰出手段８１と、洗浄布７９と圧胴２１との間に配置されたブレード８３とが備えられている。
ブレード８３は、スポンジ８５と、アルミブレード８７とを備えており、図示しないエアシリンダによって圧胴２１に対して進退されるように支持フレーム７５に取り付けられている。
【００３２】
圧胴洗浄装置７１は、ノズル７３が水あるいは洗浄液を圧胴２１表面に噴霧し、次いでブレード８３が圧胴２１側に移動し、ブレード８３が洗浄布７９を圧胴２１に押付けることによって洗浄した水あるいは洗浄液をふき取るものである。
このとき、エアシリンダは、圧胴２１の爪装置と洗浄布７９とが当たらないように、爪装置の回転タイミングに応じてブレード８３を圧胴２１から間欠的に離脱させるようにしている。
【００３３】
中間胴２３は、各印刷ユニット５の圧胴２１間に設けられ、円筒状とされている。中間胴２３は、給紙装置３側のものを除いて版胴１７およびゴム胴１９の直径の２倍の直径を有する、いわゆる倍胴仕立てとされている。
中間胴２３の周面には、枚葉紙９の先端を保持する爪装置（図示省略）が軸線中心を挟んで２ヶ所に備えられている。中間胴２３によって、上流側の圧胴２１から下流側の圧胴２１へと被印刷物が送られる。
【００３４】
上述のインキ装置１３、湿し装置１５、版胴１７、ゴム胴１９、圧胴２１および中間胴２３は、それらの周速が略一致するように枚葉印刷機１に設けられた一つのメインモータ（図示せず）によって回転させられる。
つまり、メインモータからの回転力がギアを介して各部材に伝達されるようになっている。
【００３５】
排紙装置７には、チェーングリッパ８９と、排紙台９１とが備えられている。
チェーングリッパ８９は、最終の印刷ユニット５の圧胴２１に隣接する位置と排紙台９１の上方位置とを循環移動する一対のチェーンと、その間を連結するくわえ棒と、くわえ棒に所定間隔を空けて設置された爪装置と、を備え、圧胴２１から枚葉紙９を受取って排紙台２７の上方位置まで搬送するものである。
排紙台９１は、上下方向に移動可能に構成され、チェーングリッパ８９から排出される枚葉紙９を積層して保持する。
また、排紙台９１は、枚葉紙９の落下距離が略一定となるように徐々に下動するように制御されている。
【００３６】
枚葉印刷機１には、各部材の動作、運転を制御する制御部が備えられており、その中には、枚葉印刷機１における各種洗浄作業を制御する洗浄制御部９３が備えられている。
洗浄制御部９３には、インキローラ洗浄装置４７、ブランケット洗浄装置５９および圧胴洗浄装置７１の運転を個々にあるいは関連付けて制御する機能が備えられている。また、各洗浄作業に必要とする部分を必要な速度、大きさ等で駆動させる指示を出す機能を有している。
【００３７】
洗浄制御部９３には、インキローラ洗浄装置４７における洗浄液吐出ノズル４９による最後の洗浄液供給時からブレード５７によるかき取りを終了するまでの時間を通常よりも、例えば、約１０倍の長さとする低速インキ洗浄運転モードが備えられている。
また、洗浄低速インキ洗浄運転モードで運転されるインキ洗浄装置４７とブランケット洗浄装置５９とを並列運転する短縮運転モードが備えられている。
この短縮運転モードは、インキローラ洗浄装置４７とブランケット洗浄装置５９との並列運転の後に連続して圧胴洗浄装置７１を運転させるオプションが備えられている。
なお、この場合、圧胴洗浄装置７１を先に実施するようにしてもよい。
【００３８】
以上、説明した本実施形態にかかる枚葉印刷機１の動作について説明する。
まず、枚葉印刷機１の印刷動作について説明する。
給紙装置３の給紙台１１に積載された厚い枚葉紙９は、図示しない給紙機構によって最上部から１枚ずつ取り出され、印刷ユニット５に供給される。
供給された枚葉紙９は、印刷ユニット５の中間胴２３の爪装置によってくわえられ、次いで中間胴２３から圧胴２１へくわえ替えされる。これを繰り返して４つの印刷ユニット５を通して搬送される。
【００３９】
各印刷ユニット５では、版胴１７の周面に取付けられた刷版の非画線部に湿し装置１５から水が供給され、次いで刷版の画線部にインキ供給装置１３からインキが供給される。
これにより得られる刷版上の印刷画像がゴム胴１９に転写される。
ゴム胴１９に転写された印刷画像は、圧胴２１によって運ばれる枚葉紙９に転写され、１色の印刷が行われる。
これが各印刷ユニット５で繰り返されカラー印刷される。
【００４０】
カラー印刷された枚葉紙９は最後の印刷ユニット５の圧胴２１からチェーングリッパ８９の爪装置にくわえ替えされる。
チェーングリッパ８９で搬送される枚葉紙９は、排紙台９１の上方でくわえを外され、落下し、排紙台９１上に積み上げられる。
このとき、未乾燥のインキが上側の枚葉紙９の裏に写るのを防止するため、枚葉紙９の上にパウダが噴霧される。
【００４１】
例えば、一日の印刷作業が終了した時、インキ装置１３、ブランケット、圧胴１９の洗浄が行われる。この洗浄作業について、まず、インキローラ洗浄装置４７の洗浄動作について説明する。洗浄制御部９３には、インキローラ洗浄装置４７を単独で洗浄するインキ洗浄モードＩが備えられている。インキ洗浄モードＩの通常工程は図５のＮＯ１ケースに示されている。
このインキ洗浄モードＩを選択する（例えば、ボタンを押す）と、洗浄制御部９３はまず、胴抜き指示を行い、インキ着けローラ３１を版胴１７から離れた脱位置となるようにする。次いで、メインモータを作動させ、インキローラが所定の速度になるまで昇速する。
【００４２】
インキローラの洗浄時の回転速度は、速い程洗浄時間を短くできるので、できるだけ高速とされる。一方、あまり速くなると周面を搬送される洗浄液が遠心力によって周囲に飛び散ることになるので、洗浄液の量との関係で速度は制限される。
このインキローラ単独洗浄速度としては、供給する洗浄液の量や粘度、胴表面の周速度などを勘案して設定されるが、例えば、７０００〜１００００ｓｐｈ（枚数／時間）程度とされる。
【００４３】
この状態で、ポンプが駆動され、図示しないタンクに貯留された洗浄液が溶剤配管５１へ供給される。
洗浄液配管５１へ供給された洗浄液は、電磁弁５３の開放によって洗浄液吐出ノズル４９に供給される。
洗浄液は、洗浄液吐出ノズル４９から回転しているインキ練りローラ３５ａに噴射され、インキ練りローラ３５ａから下流側の複数のインキ往復ローラ３３およびインキ練りローラ３５に順次転移される。その間に、洗浄液はインキ往復ローラ３３およびインキ練りローラ３５の表面に存在するインキを洗い流す。
【００４４】
廃液パン５５は、タイミングを見て、インキ往復ローラ３３ａ側に揺動され、ブレード５７がインキ往復ローラ３３ａの周面に当接した状態とされる。
洗浄液により洗い流されインキ往復ローラ３３ａのところまで運ばれたインキは、ブレード５７によってかき取られ廃液パン５５に回収される。
電磁弁５３は、洗浄液の量が多くなり、遠心力によって洗浄液が周囲に飛び散ることを防止するため、間欠的に開放され、供給する洗浄液の量を調節している。
電磁弁５３は、例えば、０．５〜２秒開放され、その後１０〜１５秒間のインターバルを置いて再度開放され、これが例えば７〜１０回繰り返されて洗浄が終了する。
【００４５】
洗浄が終了すると、廃液パン５５は、ブレード５７がインキ往復ローラ３３ａの周面から離脱された状態とされる。
したがって、洗浄液吐出ノズル４９による最後の洗浄液供給Ｓからブレード５７を離脱させ、洗浄が終了するまでの時間は１５秒以内となる。
洗浄が終わると、洗浄作業を終了させる作業を行うための処理（制御）を短時間行う。
次いで、洗浄作業が終了するという合図として、警報を発する。
その後、空転をさせてインキ往復ローラ３３およびインキ練りローラ３５の周面を乾燥させる。
メインモータの回転を減速させ、インキローラの速度を降速し、停止させる。
【００４６】
また、洗浄制御部９３には、インキ洗浄装置４７における最後の洗浄液供給Ｓからブレード５７を離脱させてかき取りを終了までの時間を通常よりも長くする低速インキ洗浄運転モードＴが備えられている。
インキ洗浄装置４７を低速インキ洗浄運転モードＴで運転すると、最後の洗浄液供給Ｓからブレード５７によるかき取り終了までの時間を通常よりも長くしているので、この間に先に供給された洗浄液を含め全ての洗浄液が確実にインキ往復ローラ３３ａまで送られ、そこでかき取られることになる。
そのため、インキを含んだ洗浄液がインキ練りローラ３５、インキ往復ローラ３３およびインキ着けローラ３１上に残留することがないので、たとえインキローラの回転速度を遅くしたとしても、洗浄能力を維持することができる。
【００４７】
次に、ブランケットの洗浄作業について説明する。
洗浄制御部９３には、ブランケット洗浄装置５９を単独で洗浄するブランケット洗浄モードＢが備えられている。
このブランケット洗浄モードＢを選択する（例えば、ボタンを押す）と、洗浄制御部９３は、胴抜き指示を行い、ゴム胴１９を版胴１７から離れた脱位置となるようにする。
次いで、メインモータを作動させ、ゴム胴１９が所定の速度になるまで昇速する。
【００４８】
ゴム胴１９の洗浄速度は、速い程洗浄時間を短くできるので、できるだけ高速とされる。一方、あまり速くなると洗浄布６９がゴム胴１９周面に存在するブランケット取付け用のギャップを通過する時の衝撃が大きくなって破れる等耐久性に問題があるので、ゴム胴１９の速度は制限される。
このブランケット洗浄速度としては、ブランケット洗浄装置５９の耐久性を勘案して設定されるが、ゴム胴２１に設けられたギャップ部分に対向した際にブランケット洗浄装置５９が離れるように揺動させる制御を行うべく上述したインキローラ単独洗浄速度の半分程度とされ、例えば、３５００〜５０００ｓｐｈ（枚数／時間）程度とされる。
【００４９】
ゴム胴１９の速度が所定の速度に達すると、一対の移動フレーム６１がゴム胴１９側に移動し、案内部材６５が洗浄液を含侵した洗浄布６９をゴム胴１９の表面に取り付けられたブランケットに押付ける。
洗浄布６９によってブランケット上のインキ等がふき取られる。
例えば、所定の時間が経過すると、一対の移動フレーム６１はゴム胴１９から離れる方向に移動され、洗浄が終了される。
この洗浄が終了すると、インキ洗浄モードＩの洗浄後と同様な動作で洗浄作業は終了される。
【００５０】
次に、圧胴２１の洗浄作業について説明する。
洗浄制御部９３には、圧胴洗浄装置７１を単独で洗浄する圧胴洗浄モードＰが備えられている。
この圧胴洗浄モードＰを選択する（例えば、ボタンを押す）と、洗浄制御部９３は、胴抜き指示を行い、圧胴２１をゴム胴１９から離れた脱位置となるようにする。
次いで、メインモータを作動させ、圧胴２１が所定の速度になるまで昇速する。
【００５１】
圧胴２１の速度は、速い程洗浄時間を短くできるので、できるだけ高速とされる。一方、圧胴２１の周面には枚葉紙９をくわえる爪装置が突出しているため、ブレード８３が爪装置と衝突しないように回避させる必要がある。このため、圧胴２１の洗浄時の速度を早くすることはできない。
この圧胴洗浄速度はインキローラ単独洗浄速度の１０分の１程度、例えば、７００〜１０００ｓｐｈ（枚数／時間）程度とされる。
【００５２】
圧胴２１の速度が所定の速度に達すると、ノズル７３から水あるいは洗浄液が噴霧され、ブレード８３が圧胴２１側へ移動される。ブレード８３が洗浄布７９を圧胴２１の表面に押付ける。
洗浄布７９によって圧胴２１上の水あるいは洗浄液が汚れとともにふき取られる。
なお、ブレード８３は圧胴２１の爪装置が通過するタイミングで圧胴２１から離れる方向に移動される。
例えば、所定の時間が経過すると、ノズル７３からの噴霧が終了し、ブレード８３が圧胴２１から離れる方向に移動し洗浄が終了される。
この洗浄が終了すると、インキ洗浄モードＩの洗浄後と同様な動作で洗浄作業は終了される。
【００５３】
ここで、本実施形態では、洗浄制御部９３が、インキローラ洗浄とブランケット洗浄とを同時に行うべく、インキローラ洗浄速度をブランケット洗浄速度に一致させる洗浄モードを有する。この場合、インキローラ単独での洗浄時と同等の洗浄能力を実現すべく、インキローラ単独洗浄時とは異なるシーケンス（低速インキ洗浄運転モードＴ）を採用している。以下、図５を用いて具体的に説明する。
図５は、通常のインキローラ単独洗浄（ＮＯ．１）と低速インキ洗浄運転モード（ＮＯ．５）と比較例として検証した洗浄運転（ＮＯ．２〜ＮＯ．４）のシーケンスとその洗浄能力を示すグラフであり、より詳細には、洗浄液の量は変化させずに運転速度および洗浄液供給パターンを変化させてシアンインキを洗浄したときの残留インキ濃度（シアン濃度）を測定し、洗浄効果を実験した結果を示している。
【００５４】
ＮＯ．１は、上記した通常のインキローラ洗浄速度を用いた洗浄工程であり、シアン濃度は０．０４である。
これに対し、ＮＯ．２からＮＯ．５は上述したインキローラ洗浄速度の略半分程度のブランケット洗浄速度に抑えた制御シーケンスを採用している。
ＮＯ．２は、ＮＯ．１からインキローラの運転速度のみをブランケット洗浄速度に低減したもので、シアン濃度は０．１３となり、洗浄効果が低下している。
ＮＯ．３は、ＮＯ．１から運転速度をブランケット洗浄速度に低減し、洗浄液供給のインターバルを速度低下に反比例させて増加させたものである。そのため、洗浄の時間が略１．８倍と長くなっているにもかかわらずシアン濃度は０．１３となり、洗浄効果が低下している。
ＮＯ．４は、ＮＯ．３の洗浄液供給のインターバルを２倍にしたものである。シアン濃度は０．０３となり洗浄効果は向上している。しかし、この場合には、洗浄の時間は略３．６倍となるので、全体の洗浄工程にかかる時間が相当に長くなる。
ＮＯ．５は、本実施形態で採用した低速インキ洗浄運転モードＴである。すなわち、通常のインキローラ単独洗浄における最後のインターバルを長く、すなわち、最後の洗浄液供給Ｓからブレード５７によるかき取り終了までの時間を長くしたものである。具体的には、ＮＯ．１における最後のインターバルが数秒程度であるのに対し、１００秒程度とされている。また、最後のインターバルは実洗浄時間の略半分を占めている。この低速インキ洗浄運転モードＴを実行した場合のシアン濃度は０．０３であり、ＮＯ．４と同程度の洗浄効果が得られる。一方、全体の洗浄工程にかかる時間はＮＯ．４の略三分の二で納まっている。
【００５５】
ここで、低速インキ洗浄運転モードＴは、運転速度が低速になっても、インターバルを長くすれば洗浄効果は通常の洗浄工程よりも向上させることができるという知見に基づくものであり、さらには、単純にインターバルを延ばすよりも、最後のインターバルを延ばすほうが短時間の洗浄作業で同等の洗浄効果を得られるという知見に基づくものである。
なお、最後の洗浄液供給Ｓからブレード５７によるかき取り終了までの時間は、通常の単独洗浄時よりも５倍以上、あるいは、低速インキ洗浄運転モードにおける洗浄の時間の四分の一以上であれば十分な効果が認められる。
以上説明したように、低速インキ洗浄運転モードＴで洗浄すると、ブランケット洗浄時におけるゴム胴の回転速度と同等としても所定の洗浄効果を得ることができる。
このように、例えば、異なる回転速度を設定すべくインキ供給装置１３を別駆動源で運転するようにしなくても、本実施形態のように低速インキ洗浄運転モードＴによりインキ洗浄装置４７およびブランケット洗浄装置５９を同時に並列して運転することができるので、装置構成が複雑となること、それにより製造コストが増加することを阻止することができる。
【００５６】
図６は、インキ装置１３洗浄、ブランケット洗浄および圧胴２１洗浄をインキ洗浄モードＩ、ブランケット洗浄モードＢおよび圧胴洗浄モードＰを用いて行う場合の運転速度と洗浄時間の関係を示している。
インキ装置１３の洗浄は、インキ洗浄モードＩを選択して上述のように、インキローラ単独洗浄速度で行う。この洗浄には、インキローラ洗浄時間ＩＴ１を要する。
次に、ブランケットの洗浄に入るが、その準備等に切換時間Ｋ１を要する。ブランケット洗浄モードＢを選択して、ブランケット洗浄装置５９によって上述のように、インキローラ単独洗浄速度の略半分程度のブランケット洗浄速度でブランケットを洗浄する。この洗浄には、ブランケット洗浄時間ＢＴを要する。
【００５７】
次に、圧胴の洗浄に入るが、その準備等に切換時間Ｋ２を要する。圧洗浄モードＰを選択して、圧胴洗浄装置７１によって上述のように、インキローラ単独洗浄速度の略１０分の１程度の圧胴洗浄速度で圧胴２１の表面を洗浄する。この洗浄には、圧胴洗浄時間ＰＴを要する。
インキ装置１３洗浄、ブランケット洗浄および圧胴２１洗浄にＩＴ１＋Ｋ１＋ＢＴ＋Ｋ２＋ＰＴの時間がかかることになる。
なお、インキ装置１３洗浄、ブランケット洗浄および圧胴２１洗浄の順序は自由に入れ替えすることができる。
【００５８】
洗浄制御部９３には、低速インキ洗浄運転モードＴを用いて、インキ洗浄装置４７とブランケット洗浄装置５９とを並列して運転する短縮運転モードＴＮが備えられている。
図７は、短縮運転モードＴＮの一例を示している。すなわち、最初に、低速インキ洗浄運転モードＴによるインキ洗浄と、ブランケット洗浄とを並列して行い、洗浄時間の長いインキ洗浄が終わると、運転を継続（停止することなく減速）して圧胴洗浄を行うものである。
【００５９】
インキ装置１３の洗浄は、低速インキ洗浄運転モードＴにより上述のように、ブランケット洗浄速度と同じ低速インキローラ洗浄速度で行う。この洗浄には、インキローラ洗浄時間ＩＴ２を要する。
その間に、ブランケット洗浄装置５９を作動させてブランケットの洗浄を行う。
インキローラ洗浄時間ＩＴ２は、インキローラ洗浄時間ＩＴ１に比べて略１．６倍となるが、その間にブランケットの洗浄が行えるので、別途、ブランケット洗浄時間ＢＴを必要とする通常のものに比べて洗浄時間を短縮することができる。
【００６０】
また、インキ洗浄装置４７の作動とブランケット洗浄装置５９の作動との間に切換時間（Ｋ１）を必要としないので、その分も洗浄時間を短縮することができる。
なお、低速インキ洗浄運転モードＴにおける最後の洗浄液供給からかき取り終了までの時間は、洗浄効果（能力）と洗浄時間増との関係から短縮効果がでるように選択される。
このため、最後の洗浄液供給からかき取り終了までの時間は、無制限に長くできない。
【００６１】
インキ装置１３の洗浄工程の降速工程で、運転速度が圧胴２１の圧胴洗浄速度になると、運転速度の降速を停止し、圧胴洗浄装置７１を作動させ、上述のようにして圧胴洗浄を行う。
この時の圧胴洗浄時間ＰＴは、単独運転する圧胴洗浄モードＰよりも昇速工程がない分わずかであるが低減される。
このように、圧胴洗浄作業がインキ洗浄から連続して行われるので、インキ洗浄装置４７およびブランケット洗浄装置５９と圧胴洗浄装置７１との間の切換時間Ｋ２が省略でき、その分洗浄時間を一層短縮することができる。
この短縮運転モードＴＮでは、インキ装置１３洗浄、ブランケット洗浄および圧胴２１洗浄にＩＴ２＋ＰＴの時間がかかることになり、図６の別個に行うものと比べて洗浄時間を略２０％低減することができる。
【００６２】
なお、ブランケット洗浄時間ＢＴがインキローラ洗浄時間ＩＴ２よりも長い場合には、ブランケット洗浄作業後に圧胴洗浄を行うことになる。
また、本実施形態の短縮運転モードＴＮでは、低速インキ洗浄運転モードＴの後に圧胴洗浄装置７１を運転するようにしているが、前に運転するようにしてもよい。
さらに、短縮運転モードＴＮには、圧胴洗浄装置７１の運転を伴わないものもある。
【００６３】
なお、本発明は本実施形態に限定されるものではなく、本発明の要旨を逸脱しない範囲内において適宜変更することができる。
また、本実施形態では、枚葉印刷機に適用しているが、本発明は輪転印刷機等適宜な形式の印刷機に適用することができる。
【図面の簡単な説明】
【００６４】
【図１】本発明の一実施形態にかかる枚葉印刷機の全体概略構成を示す正面図である。
【図２】本発明の一実施形態にかかる印刷ユニットの上部構造を示す正面図である。
【図３】本発明の一実施形態にかかるブランケット洗浄装置の概略構造を示す正面図である。
【図４】本発明の一実施形態にかかる圧胴洗浄装置の概略構造を示す正面図である。
【図５】本発明の一実施形態にかかるインキ洗浄装置の運転速度と洗浄液供給パターンとによる洗浄効果の状況を示すグラフである。
【図６】本発明の一実施形態にかかる洗浄制御部による通常洗浄時の運転速度と時間との関係を示すグラフである。
【図７】本発明の一実施形態にかかる洗浄制御部における短縮運転モードによる通常洗浄時の運転速度と時間との関係を示すグラフである。
【符号の説明】
【００６５】
１  枚葉印刷機
１３  インキ装置
１９  ゴム胴
２１  圧胴
４７  インキローラ洗浄装置
５９  ブランケット洗浄装置
７１  圧胴洗浄装置
９３  洗浄制御部
Ｔ  低速インキ洗浄運転モード
ＴＮ  短縮運転モード
【図１】
2007290186.tif 000003
【図２】
2007290186.tif 000004
【図３】
2007290186.tif 000005
【図４】
2007290186.tif 000006
【図５】
2007290186.tif 000007
【図６】
2007290186.tif 000008
【図７】
2007290186.tif 000009